(57)【要約】【課題】１枚ものでありながら、例えば表面をハンカチーフ、裏面をワイピングクロスといった具合に、相互に異なる２つの機能を表と裏で使い分けることができることは勿論のこと、製作が容易で且つ毛羽落ちの虞や拭き取り性低下の虞がないハンカチーフを提供する。【解決手段】表裏一対の経編地Ａ，Ｂが連結糸により連結されてなるダブルラッセル構造のハンカチーフ１であって、前記一対の経編地Ａ，Ｂのうち一方の経編地Ａは、マイクロファイバー糸Ａ１，Ａ２により編成されてなる鎖編組織とされ、他方の経編地Ｂは、綿、絹、麻等の天然繊維糸Ｂ１により編成されてなる鎖編組織とされるとともに、前記他方の経編地Ｂの天然繊維糸Ｂ１が前記連結糸も兼ねているハンカチーフ。【選択図】図２
2019105014.tif 000002
【特許請求の範囲】
【請求項１】
表裏一対の経編地が連結糸により連結されてなるダブルラッセル構造のハンカチーフであって、
前記一対の経編地のうち一方の経編地は、マイクロファイバー糸により編成されてなる鎖編組織とされ、他方の経編地は、綿、絹、麻等の天然繊維糸により編成されてなる鎖編組織とされるとともに、前記他方の経編地の天然繊維糸が前記連結糸も兼ねていることを特徴とするハンカチーフ。
【請求項２】
請求項１に記載のハンカチーフであって、
前記一方の経編地は、少なくとも、鎖編目列を構成するマイクロファイバー糸と該鎖編目列に緯方向に挿入されるマイクロファイバー糸とで編成され、前記他方の経編地は、少なくとも１種類の天然繊維の糸で編成されていることを特徴とするハンカチーフ。
【請求項３】
請求項１又は２に記載のハンカチーフであって、
前記表裏一対の経編地のコース方向と並行する両端縁のみがかがり縫いされてなることを特徴とするハンカチーフ。
【発明の詳細な説明】
【技術分野】
【０００１】
本発明は、ハンカチーフに係り、特に、眼鏡のレンズや携帯端末の画面などに付着した汚れの拭き取りに好適なワイピングクロスも兼ねたハンカチーフに関する。
【背景技術】
【０００２】
これまで、ワイピングクロスの機能も有するハンカチーフが種々提案されている。例えば、特許文献１には、表面に所望模様を施した表生地を絹地とし、その裏面に極細のポリエステル繊維を編み込んで成る裏生地を重ね合わせ、それら絹地と裏生地との周縁部を縫製して成るファッション性と実用性とを有する眼鏡拭き兼用ハンカチーフが提案されている。このハンカチーフによれば、表面に所望模様をプリントした表生地を絹地としたので、そのファッション性が損なわれず、ポケットチーフとしての機能を有する。また、表生地の裏面に、裏生地として１枚の極細のポリエステル繊維を編み込んでなる裏生地を重ね合わせたものであるから、眼鏡拭きとしての効果を充分に発揮でき、ポケット・ハンカチーフとすれば、一々眼鏡ケースから取り出す煩雑な手間が不要となり、極めて便利である、とされている。
【０００３】
また、特許文献２には、合成繊維極細仮撚り捲縮マルチフィラメント糸と天然繊維との交織からなるワイピングクロスが提案されている。このワイピングクロスによれば、吸水性のあるハンカチーフの機能と、効率よく眼鏡のレンズの曇りをとることのできる眼鏡拭きの両方の機能を同時に併せ持ち、眼鏡を拭くのにハンカチーフで不便と感じる眼鏡着用者にとって便利なものとされている。
【０００４】
さらに、特許文献３には、基布の表側に綿糸によるパイル地が形成される一方、基布の裏側には極細糸によるパイル地が形成されたハンカチーフが提案されている。このハンカチーフによれば、１枚ものでありながら、表面を、手を拭いたり顔の汗を拭ったりするハンカチーフ、また裏面を、眼鏡のレンズや携帯端末の表示画面の汚れを拭き取ったりするワイピングクロスといった具合に、相互に異なる２つの機能を１枚の布の表と裏で使い分けることができるとされている。
【先行技術文献】
【特許文献】
【０００５】
【特許文献１】実用新案登録第３０６０４５７号公報
【特許文献２】特開２００１−１４６６５７号公報
【特許文献３】特開２０１４−３１５９６号公報
【発明の概要】
【発明が解決しようとする課題】
【０００６】
特許文献１に開示された眼鏡拭き兼用ハンカチーフにあっては、例えば濡れた手を拭いたり顔の汗を拭いたりする場合には、表側の絹地のハンカチーフを使用し、眼鏡のレンズ等を拭く場合には、裏側の眼鏡拭きを使用するといったように、用途に応じて表裏を使い分けするものであるため、使用時に表裏を間違えない限り、汗を吸収したハンカチーフで眼鏡のレンズを拭いてしまい眼鏡のレンズに汗が付着するといた不具合は起きない。しかしながら、製作に際しては、異なる種類の表地と裏地とを別々に用意しておく必要があるとともに、これら表地と裏地とを一体化するための縫製作業を行う必要があるため、製作が煩雑となり、またその分製作コストが嵩むといった不都合があった。
【０００７】
一方、特許文献２に開示されたワイピングクロスにあっては、特許文献１のような、種類の異なる表地と裏地とからなる、いわゆる２枚ものではなく、２種類の糸を交織してなる、いわゆる１枚ものであるから、上記したような特許文献１のハンカチーフとは異なり、縫製作業が不要となる分製作が容易であり、製作コストを抑えることができる。しかしながら、両面とも同一機能を有する１枚ものであるため、当然のことながら、濡れた手を拭いたり顔の汗を拭いたりした面で眼鏡のレンズを拭くことになる場合もあり、眼鏡のレンズの拭き取り時に、繊維に付着している汗がレンズに移る虞があった。また、眼鏡のレンズや携帯端末の画面などに付着した汚れを拭き取った後に、汚れを拭き取った面と同じ面で顔の汗を拭いたりすることは、衛生面で問題があった。
【０００８】
また、特許文献３に開示されたハンカチーフによれば、特許文献２のワイピングクロスと同様、１枚ものであるから、縫製作業が不要であり、その分製作コストを抑えることができる。また、表面をハンカチーフ、裏面をワイピングクロスといった具合に、相互に異なる２つの機能を表と裏で使い分けることができるため、特許文献２のもので懸念されるような衛生面での問題はない。しかしながら、表裏ともパイル構造であるため、使用を重ねるうちに毛羽落ちの虞があり、拭き取り性が次第に損なわれる懸念があった。
【０００９】
本発明は、係る点に鑑みて創案されたものであり、その目的とするところは、いわゆる１枚ものでありながら、例えば表面をハンカチーフ、裏面をワイピングクロスといった具合に、相互に異なる２つの機能を表と裏で使い分けることができることは勿論のこと、製作が容易で且つ毛羽落ちの虞や拭き取り性低下の虞がないハンカチーフを提供することを目的とする。
【課題を解決するための手段】
【００１０】
上記した目的を達成するため、本発明に係るハンカチーフは、表裏一対の経編地が連結糸により連結されてなるダブルラッセル構造のハンカチーフであって、前記一対の経編地のうち一方の経編地は、マイクロファイバー糸により編成されてなる鎖編組織とされ、他方の経編地は、綿、絹、麻等の天然繊維糸により編成されてなる鎖編組織とされるとともに、前記他方の経編地の天然繊維糸が前記連結糸も兼ねていることを特徴とするものである。
【００１１】
このような特定事項によれば、一方の面がマイクロファイバー糸によるワイピングクロスであり、他方の面が天然繊維糸からなる吸湿布であるから、１枚ものでありながら、一方の面を眼鏡のレンズや携帯端末の表示画面の汚れを拭き取ったりするワイピングクロス、他方の面を手を拭いたり顔の汗を拭ったりするハンカチーフ、といった具合に、相互に異なる２つの機能を１枚の布の表と裏で使い分けることができる。
【００１２】
しかも、ダブルラッセル構造であるから、ダブルラッセル機により両方の面を一度に編成することができ、製作が容易であり、その分製作コストを低く抑えることができる。
【００１３】
さらに、両方の面とも鎖編組織で形成されているから、表面がフラットである。したがって、一方の面で眼鏡のレンズや携帯端末の表示画面を拭く場合も、他方の面で顔を拭く場合も、引っ掛かりなく払拭面を滑らせることができるとともに、風合いが柔らかく、触感が極めて優しい。また、毛羽落ちの心配がなく、高い払拭性が長期間維持される。しかも、鎖編組織を構成する鎖編目列単位で色の異なる糸を使用することもできるので、容易にストライプ柄を付与することができる。
【００１４】
上記のハンカチーフにあっては、前記一方の経編地は、少なくとも、鎖編目列を構成するマイクロファイバー糸と該鎖編目列に緯方向に挿入されるマイクロファイバー糸とで編成され、前記他方の経編地は、少なくとも１種類の天然繊維の糸で編成されていてもよい。
【００１５】
この場合、糸の種類が少なくて済むため、低コスト化を容易に図ることができる。
【００１６】
上記のハンカチーフにあっては、前記表裏一対の経編地のコース方向と並行する両端縁のみがかがり縫いされてもよい。
【００１７】
この場合、表裏一対の経編地のウエール方向と並行する両側縁には各経編地の鎖編目列のみが存在することになるので、払拭方向をウエール方向に沿う方向とした場合、ハンカチーフの縁が引っ掛かったりすることがなく、払拭性が高い。
【発明の効果】
【００１８】
本発明によれば、１枚ものでありながら、例えば表面をハンカチーフ、裏面をワイピングクロスといった具合に、相互に異なる２つの機能を表と裏で使い分けることができることは勿論のこと、製作が容易で且つ毛羽落ちの虞や拭き取り性低下の虞がないハンカチーフを提供することができる。
【図面の簡単な説明】
【００１９】
【図１】図１は、本発明に係るハンカチーフの一実施形態を示す概略斜視図である。
【図２】図２は、ワイピングクロスの機能を発揮する面の構成を示す組織図である。
【図３】図３は、吸湿布の機能を発揮する面の構成を示す組織図である。
【図４】図４は、図２の組織分解図である
【図５】図５は、図２の組織分解図である。
【図６】図６は、図２の組織分解図である。
【発明を実施するための形態】
【００２０】
以下、本発明に係るハンカチーフの一実施形態について、図面を参照して説明する。
【００２１】
図１〜図６に本発明の一実施形態を示す。図１は、ハンカチーフの概略斜視図、図２は、ワイピングクロスの機能を発揮する面の構成を示す組織図、図３は、吸湿布の機能を発揮する面の構成を示す組織図、図４は、図２の組織分解図、図５は、図２の組織分解図、図６は、図２の組織分解図である。
【００２２】
このハンカチーフ１は、表裏一対の経編地が連結糸により連結されてなるダブルラッセル構造のハンカチーフである。なお、図１は表側の経編地Ａのみが示されている。
【００２３】
具体的には、一対の経編地のうち一方の経編地Ａは、マイクロファイバー糸により編成されてなる鎖編組織とされており、他方の経編地（図１に示されるハンカチーフ１の裏側）Ｂは、綿糸により編成されてなる鎖編組織とされるとともに、該他方の経編地Ｂの綿糸Ｂ１が連結糸も兼ねているものである。そして、このハンカチーフ１にあっては、表裏一対の経編地Ａ，Ｂのコース方向と並行する両端１０，１０のみがかがり縫いされている。これにより、経編地Ａ，Ｂのウエール方向と並行する両側縁１１，１１には各経編地Ａ，Ｂの鎖編目列のみが存在することになるので、払拭方向をウエール方向に沿う方向とした場合、ハンカチーフ１の縁が引っ掛かったりすることがない。
【００２４】
経編地Ａは、ワイピングクロスとして機能する面を構成するものであり、図２に示すように、ウエール方向に並列して延びるマイクロファイバー糸Ａ１よりなる鎖編目列ＡＣに対して、コース方向に４列離れた鎖編目列ＡＣとの間にわたり、マイクロファイバー糸よりなる緯挿入糸Ａ２がジグザグ状に折り返し挿入されて編成されている。ここで、経編地Ａを構成するマイクロファイバー糸Ａ１，Ａ２としては、例えば、ナイロンやポリエステルから作られる合成繊維であって直径が１デニール以下の細さの糸を用いることができる。また、鎖編目列ＡＣを構成するマイクロファイバー糸Ａ１と、緯挿入糸Ａ２として用いられるマイクロファイバー糸とは、相互に異なる種類及び太さのものを用いることができる。いずれにしても、ワイピングクロスとしての機能を発揮しうるのであれば、マイクロファイバー糸Ａ１，Ａ２の素材や太さは特に限定されない。
【００２５】
経編地Ｂは、吸湿布として機能する面を構成するものであり、図３に示すように、ウエール方向に並列して延びる綿糸Ｂ１よりなる鎖編目列ＢＣにより編成されている。
【００２６】
ここで、本発明のハンカチーフ１は、ダブルラッセル構造であり、経編地Ａと経編地Ｂとは、経編地Ｂを構成する上記の綿糸Ｂ１が連結糸となって一体的に連結されている。つまり、経編地Ｂの鎖編目列ＢＣを編成している綿糸Ｂ１は、図２に示すように、それと対峙する位置にある経編地Ａの鎖編目列ＡＣの開き目に止められており、経編地Ａ側から見ると、各鎖編目列ＡＣにおいてジグザグに伸びている（図２，５参照）。
【００２７】
一方、経編地Ｂ側から見ると、経編地Ａの鎖編目列ＡＣを編成するマイクロファイバー糸Ａ１と緯挿入糸Ａ２とは、図３に示すように、経編地Ｂの綿糸Ｂ１とは一切絡むことなくウエール方向に流されている。
【００２８】
なお、経編地Ｂの鎖編目列ＢＣを編成する糸としては、上記した綿糸に限らず、絹や麻等の他の天然繊維であってもよいし、吸湿性に優れているのであれば化学繊維でもよい。
【００２９】
このようになるハンカチーフ１は、従来周知のダブルラッセル機で一度に編成することができる。したがって、従来とは異なり、表側生地と裏側生地とを縫い合わせるといった手間が不要となるため、製作が容易であり、その分製作コストを低く抑えることができる。
【００３０】
また、両方の面Ａ，Ｂとも鎖編組織で形成されているから、表面がフラットである。したがって、一方の面Ａで眼鏡のレンズや携帯端末の表示画面を拭く場合も、他方の面Ｂで顔を拭く場合も、引っ掛かりなく払拭面を滑らせることができるとともに、風合いが柔らかく、触感が極めて優しい。また、毛羽落ちの心配がなく、高い払拭性が長期間維持される。
【００３１】
なお、上記のハンカチーフ１では、経編地Ａは、鎖編目列ＡＣを構成するマイクロファイバー糸Ａ１と該鎖編目列ＡＣに緯方向に挿入されるマイクロファイバー糸Ａ２の２種類だけで編成したが、例えば、これに別途柄糸を加えて、経編地Ａに任意の模様を付与するようにしてもよい。
【符号の説明】
【００３２】
１  ハンカチーフ
Ａ  一方の経編地
ＡＣ  鎖編目列
Ａ１  鎖編目列ＡＣのマイクロファイバー糸
Ａ２  緯挿入糸（マイクロファイバー糸）
Ｂ  他方の経編地
ＢＣ  鎖編目列
Ｂ１  天然繊維糸
【図１】
2019105014.tif 000003
【図２】
2019105014.tif 000004
【図３】
2019105014.tif 000005
【図４】
2019105014.tif 000006
【図５】
2019105014.tif 000007
【図６】
2019105014.tif 000008